(57)【要約】【課題】  シャッターボタンの押下操作後にカメラモジュールの設定を変更して撮影を行い、プレビュー画像を表示する機能を有する端末において、画像の切り替わりの際の違和感を低減し、画面のちらつき感を無くす。【解決手段】  シャッターボタン４６の押下操作後にカメラモジュール４４のレジスタ４３の設定値を変更するカメラ付き携帯電話端末である。この端末にて撮影を行った場合、シャッターボタン４６の押下操作直前の撮影画像と、その押下操作後で且つレジスタ４３の設定変更がなされた後の撮影画像との間に、シャッターボタン４６の押下操作直前の撮影画像を画像加工部３６にて加工した画像を挿入してディスプレイ３８上に表示する。【選択図】  図１
2005204210.tif 000002
【特許請求の範囲】
【請求項１】
カメラモジュールにて撮影を行い、その撮影された画像をディスプレイ上に表示する機能を備えたカメラ付き携帯型情報端末において、
撮影指示の入力前には第１の設定値にて上記カメラモジュールに撮影を行わせ、撮影指示の入力後には上記第１の設定値から第２の設定値へ変更して上記カメラモジュールに撮影を行わせるカメラ設定制御手段と、
少なくとも、上記撮影指示の入力直前に上記カメラモジュールにて撮影された第１の画像に対して、所定の加工処理を施す画像加工手段と、
上記撮影指示の入力直前に上記カメラモジュールにて撮影された第１の画像と、上記撮影指示の入力直後で且つ上記第２の設定値への変更がなされたカメラモジュールにて撮影された第２の画像との間に、上記画像加工手段からの加工画像を挿入して上記ディスプレイへ出力する画像挿入手段とを有する
ことを特徴とするカメラ付き携帯型情報端末。
【請求項２】
請求項１記載のカメラ付き携帯型情報端末であって、
上記画像加工手段での画像加工処理は、上記カメラモジュールにて撮影された画像に平滑化フィルタ処理を施す画像加工処理であることを特徴とするカメラ付き携帯型情報端末。
【請求項３】
請求項２記載のカメラ付き携帯型情報端末であって、
上記画像加工手段は、上記第２の画像に対しても上記平滑化フィルタ処理を施し、
上記画像挿入手段は、上記画像加工手段が上記第１の画像に平滑化フィルタ処理を施した第１の加工画像と、上記第２の画像との間に、上記画像加工手段が上記第２の画像に平滑化フィルタ処理を施した第２の加工画像を挿入することを特徴とするカメラ付き携帯型情報端末。
【請求項４】
請求項３記載のカメラ付き携帯型情報端末であって、
上記画像加工手段は、上記第１の画像に平滑化フィルタ処理を施した第１の加工画像に黒枠画像を付加すると共に、上記第２の画像に平滑化フィルタ処理した第２の加工画像に黒枠画像を付加し、
上記画像挿入手段は、上記画像加工手段が上記第１の加工画像に黒枠画像を付加した画像と、上記画像加工手段が上記第２の加工画像に黒枠画像を付加した画像との間に、黒画像を挿入することを特徴とするカメラ付き携帯型情報端末。
【発明の詳細な説明】
【技術分野】
【０００１】
本発明は、カメラ機能を備えた携帯電話端末やＰＤＡ（Personal Digital Assistant）等に好適なカメラ付き携帯型情報端末に関する。
【背景技術】
【０００２】
近年の携帯電話端末やＰＤＡ等の各種携帯型情報端末は、ディジタルカメラ機能を搭載することが一般的になりつつある。それら各種携帯型情報端末のうち、特に最近の携帯電話端末は、撮像素子の有効画素数が１００万画素を越えるカメラモジュールを搭載したものも登場してきており、このような高画素化の流れは今後も続くと考えられている。また、最近の携帯電話端末においては、上述した高画素のカメラモジュールにより撮影された画像を、その品質を損なわずに表示するためなどの理由から、高精細で且つ大画面のディスプレイを搭載している。
【０００３】
以下、ディジタルカメラ機能を搭載した従来の携帯電話端末において、使用者によりシャッターボタンが押下操作されてから実際の撮影画像がディスプレイ上に表示されるまでの一連の流れを、図７を参照しながら説明する。
【０００４】
先ず、携帯電話端末がカメラ撮影モードとなされた後で且つシャッターボタンが押下操作される前のディスプレイには、予め設定されているフレームレートでカメラモジュールが連続的に撮影している動画像が表示されている。なお、当該カメラ撮影モードにおいて、シャッターボタンが押下操作される前のカメラモジュールは、内部ＣＰＵ（中央処理装置）等の処理負担を考慮しつつ、ユーザが許容できるフレームレートの動画像をディスプレイへ表示させるために、撮像素子の有効画素数よりも少ない画素数（例えばディスプレイの表示画素数）にて撮影した動画像を表示する動画表示モードに設定されている。
【０００５】
図７において、図中のｇ１〜ｇ６で示す各絵は、実時間上における、或る一定時間毎の被写体の様子を示している。また、図中の画像Ｇ２は、シャッターボタンが押下操作された時点Ｐにおいてディスプレイ上に表示されていた画像（絵ｇ２に対応する画像）を示している。
【０００６】
ここで、カメラ撮影モードにおいて、シャッターボタンが押下操作された時、携帯電話端末は、予め設定されているフレームレートで連続的に撮影された動画像をディスプレイに表示させる動画表示モードから、例えば撮像素子の有効画素数にて静止画像を撮影する静止画撮影モードへカメラモジュールの設定を変更する。動画表示モードから静止画撮影モードへの設定変更は、カメラモジュールに設けられている設定レジスタの値を、内部ＣＰＵが動画表示モード用の値から静止画撮影モード用の値へ変更することにより行われている。
【０００７】
そして、携帯電話端末は、上述のようなカメラモジュールの設定変更完了後に、当該カメラモジュールにて実際に静止画像の撮影を行い、さらに、その撮影された静止画像からプレビュー画像を生成して、そのプレビュー画像をディスプレイ上に表示させる。図７中の画像Ｇ４は、実際にカメラモジュールにて撮影された静止画像（絵ｇ４に対応する画像）から生成されてディスプレイ上に表示されたプレビュー画像を示している。すなわち、当該携帯電話端末によれば、実際に絵ｇ４の被写体像の撮影がなされるのは、上記シャッターボタンが押下操作された時点Ｐから、内部ＣＰＵによるカメラモジュールの設定変更が完了した後（図７中の時間Ｔ１が経過した後）となる。さらに、携帯電話端末において、ディスプレイ上にプレビュー画像Ｇ４が表示されるのは、上記カメラモジュールにて静止画像が撮影されてから、プレビュー画像の生成が完了した後（図７中の時間Ｔ２が経過した後）となる。
【０００８】
なお、従来の携帯電話端末において、ディスプレイ上の表示画像を上記Ｇ２からＧ４へ切り替える際には、例えば、図８に示すように画像Ｇ２からプレビュー画像Ｇ４へそのまま切り替える方式や、図９に示すように、画像Ｇ２とプレビュー画像Ｇ４の間に例えば「保存中」の文字が中央に配された黒画像ＧＢを挟んでから切り替える方式などが採用されている。
【０００９】
その他、特開平７−８７４３９号の公開特許公報（特許文献１）には、ディジタルカメラにおいて、撮影者がレリーズ操作を行った瞬間の被写体像を撮影可能とするために、撮影者がレリーズ操作を行うよりも以前の被写体像をカメラ内に保持しておき、撮影者によるレリーズ操作がなされた時、その保持しておいた被写体像を記録できるようにしたディジタルカメラが開示されている。
【００１０】
【特許文献１】特開平７−８７４３９号公報（第１図）
【発明の開示】
【発明が解決しようとする課題】
【００１１】
従来の携帯型情報端末のディジタルカメラ機能においては、上述したように、シャッターボタンを押下操作した時にディスプレイ上に表示されていた画像Ｇ２とカメラモジュールにて撮影されてディスプレイ上に表示されるプレビュー画像Ｇ４との間、さらには、ディスプレイ上に表示されたプレビュー画像Ｇ４とその時点における実時間上の実際の被写体の様子（絵ｇ６）との間には、かなりの内容的なズレが生じている。これは、シャッターボタンが押下操作されてからディスプレイ上にプレビュー画像Ｇ４が表示されるまでの間に、実時間に対して、上記内部ＣＰＵによるカメラモジュールの設定変更の完了から静止画像が撮影されるまでの時間Ｔ１分のズレと、当該撮影された静止画像からプレビュー画像Ｇ４が生成されてディスプレイ上に表示されるまでの時間Ｔ２分のズレがあるためである。なお、従来の携帯型情報端末の場合、例えば、上記時間Ｔ１は６００ｍｓ程度となっており、また、上記時間Ｔ２も６００ｍｓ程度となっている。
【００１２】
このようなことから、ユーザは、当該携帯型情報端末を用いて撮影を行った際に、シャッターボタンの押下操作時のディスプレイ表示画像Ｇ２とのその後のプレビュー画像Ｇ４への切り替わりの際の画像内容のズレと、さらには、プレビュー画像Ｇ４と実時間上の被写体の様子（絵ｇ６）との間の内容のズレに、大きな違和感を覚えることになってしまう。特に、携帯電話端末のように、見易い大画面モニタへ撮影画像を表示するような機器において、図８に示したように画像Ｇ２からプレビュー画像Ｇ４へそのまま切り替える方式が採用されている場合、ユーザは、画像Ｇ２からプレビュー画像Ｇ４への画像切り替え時に大きな違和感を覚えることになる。
【００１３】
一方、図９に示したように画像Ｇ２とプレビュー画像Ｇ４の間に黒画像ＧＢを挟んでから切り替える方式が採用されている場合、画像Ｇ２とプレビュー画像Ｇ４の間にいきなり黒画像ＧＢが表示され、ディスプレイ画面が激しく切り替わることになるため、ユーザは、画面がちらついているような印象を受けてしまうことになる。また、この方式の場合、画像Ｇ２とプレビュー画像Ｇ４の間に黒画像ＧＢが挟まれることで、それら画像Ｇ２とプレビュー画像Ｇ４との間の表示内容のズレについての違和感は多少軽減されるものの、黒画像ＧＢが一瞬挟まれるだけでは、ユーザはやはり画像Ｇ２とプレビュー画像Ｇ４との間の表示内容のズレを感じてしまう。
【００１４】
本発明は、このような実情に鑑みて提案されたものであり、シャッターボタンの押下操作後にカメラモジュールの設定を変更して撮影を行い、プレビュー画像を表示するディジタルカメラ機能を備えている場合において、画像の切り替わりの際の違和感を低減し、また、画面のちらつき感を無くすことを可能にした、カメラ付き携帯型情報端末を提供することを目的とする。
【課題を解決するための手段】
【００１５】
本発明のカメラ付き携帯型情報端末は、カメラモジュールにて撮影を行い、その撮影された画像をディスプレイ上に表示する機能を備えた携帯型情報端末であり、撮影指示の入力前には第１の設定値にてカメラモジュールに撮影を行わせ、撮影指示の入力後には第１の設定値から第２の設定値へ変更してカメラモジュールに撮影を行わせるカメラ設定制御手段と、少なくとも、撮影指示の入力直前にカメラモジュールにて撮影された第１の画像に対して、所定の加工処理を施す画像加工手段と、撮影指示の入力直前にカメラモジュールにて撮影された第１の画像と撮影指示の入力直後で且つ第２の設定値への変更がなされたカメラモジュールにて撮影された第２の画像との間に、画像加工手段からの加工画像を挿入してディスプレイへ出力する画像挿入手段とを有することにより、上述した課題を解決する。
【００１６】
すなわち、本発明において、撮影指示の入力直前にカメラモジュールにて撮影された第１の画像と、撮影指示の入力直後で且つ第２の設定値への変更がなされたカメラモジュールにて撮影された第２の画像との間に挿入される加工画像は、撮影指示の入力直前にカメラモジュールにて撮影された第１の画像を加工した画像である。つまり、当該加工画像は、撮影指示の入力直前にカメラモジュールにて撮影された第１の画像に近い成分を有する画像となっている。したがって、本発明のように、第１の画像と第２の画像との間に、第１の画像を加工した画像を挿入した場合、ユーザは、ディスプレイ上で第１の画像から第２の画像へ画像が切り替わることによる違和感を感じ難くなる。
【発明の効果】
【００１７】
本発明によれば、第１の画像と第２の画像との間に、第１の画像を加工した画像を挿入することにより、画像の切り替わりの際の違和感を低減でき、また、画面のちらつき感を無くすことができる。
【発明を実施するための最良の形態】
【００１８】
以下、図面を参照しながら、本発明実施形態のカメラ付き携帯型情報端末について説明する。なお、本実施形態では、本発明のカメラ付き携帯型情報端末が適用される一例としてカメラ付き携帯電話端末を挙げて説明する。
【００１９】
〔本実施形態のカメラ付き携帯電話端末の構成〕
図１には、本発明実施形態のカメラ付き携帯電話端末を正面側から観た概略外観図を示し、図２には、背面側から観た概略外観図を示す。
【００２０】
本実施の形態のカメラ付き携帯電話端末は、例えば、第１の筐体１と、その第１の筐体１に対して折り重なるように二つ折りになされる第２の筐体２とを有した、いわゆる折り畳み型の携帯電話端末であり、図１，図２は、当該折り畳み型の携帯電話端末を開いた状態を示している。
【００２１】
第１の筐体１には、例えば液晶により構成されたディスプレイ３や受話用のスピーカ５等が備えられている。第２の筐体２には、携帯電話端末の主要な回路構成が内蔵されている。また、この第２の筐体２の上面（折り畳んだ際に第１の筐体１のディスプレイ面と対向する面）には、電話番号等を入力するためのダイヤルボタンであるテンキーや、発話キー、終話／電源キー、モード入力キー、クリアキー、メールキーなどの各キー、撮影時にユーザが撮影開始の指示を入力する際に操作されるシャッターボタン（撮影ボタン）７、ジョグダイヤル等からなる操作部４と、送話用のマイクロホン６等が設けられている。なお、携帯電話端末が通常備えているその他の構成については省略する。
【００２２】
また、本実施形態のカメラ付き携帯電話端末は、図２に示すように、例えば第１の筐体１の背面側上部に、レンズ系及びそのレンズのフォーカス合わせ等を行うための駆動系、撮像素子等などからなるカメラ部８と、撮影時の照明光を発光するライト部９とが設けられている。
【００２３】
〔携帯電話端末の内部構成〕
次に、図３には、図１，図２に示した本発明実施形態のカメラ付き携帯電話端末の概略的な内部構成を示す。
【００２４】
アンテナ３２は、例えば内蔵アンテナであり、信号電波の送受信を行う。通信回路３３は、送受信信号の周波数変換、変調と復調、スペクトラム拡散と逆拡散、送受信されたデータが通話音声データかそれ以外のデータかの弁別等を行う。なお、通話音声データ以外のデータとは、画像データ（カメラモジュールにて撮影した画像データも含む）や、電子メール、プログラムデータ、その他の各種データである。
【００２５】
受信された通話音声データは、データラインを介して制御部３１へ送られる。制御部３１は、ＣＰＵ（中央処理装置）からなり、通話音声データを復号化し、その復号化後の音声データをデータラインを介してスピーカ４０へ送る。
【００２６】
スピーカ４０は、受話用のスピーカ５に相当し、ディジタル／アナログ変換器と増幅器を含み、音声データをディジタル／アナログ変換及び増幅した後、出力する。これにより、通話音声が得られることになる。
【００２７】
一方、マイクロホン４１は、送話用のマイクロホン６に相当し、アナログ／ディジタル変換器と増幅器を含む。このマイクロホン４１を介して入力された通話音声信号は、増幅器により所定のレベルに増幅された後、アナログ／ディジタル変換器によりディジタル音声データに変換され、データラインを介して制御部３１へ送られて符号化された後、通信回路３３へ送られる。
【００２８】
メインメモリ３４は、ＲＯＭとＲＡＭを含む。ＲＯＭは、制御部３１が各部を制御するための制御プログラムや各種の初期設定値、当該携帯電話端末の電話番号、フォントデータ、辞書データ、本実施形態のディジタルカメラ機能を実現するためのアプリケーションを含む各種のアプリケーション用のプログラムコード、当該携帯電話端末の識別情報（ＩＤ）などを記憶している。このＲＯＭは、ＥＥＰＲＯＭのような書き換え可能なＲＯＭを含み、電子メールデータ、ユーザにより設定される電話帳や電子メールアドレス、撮影した写真画像データ、ダウンロードされた画像データや着信音データ、文字データや予測変換の候補単語の登録データや予測変換の学習データ、その他、各種のユーザ設定値等を保存することも可能となされている。ＲＡＭは、制御部３１が各種のデータ処理を行う際の作業領域として、随時データを格納する。
【００２９】
画像用メモリ３５は、カメラモジュール４４により撮影された画像データや、後述する画像加工部３６での加工途中の画像データ、ディスプレイ３８上に表示される表示画像データ（プレビュー画像も含む）等を、一時的に格納するための書き換え可能なメモリである。
【００３０】
ディスプレイ３８は、第１の筐体１のディスプレイ３に相当する。なお、本実施形態では図示を省略しているが、ディスプレイ３８は、主表示用のディスプレイ３の他に、副表示用ディスプレイを含んでいても良い。当該副表示用ディスプレイは、一例として、図１の携帯電話端末において、主表示用のディスプレイ３が配されている第１の筐体１の主面部に相対応する背面側の筐体表面上に設けることができる。
【００３１】
ディスプレイコントローラ３７は、例えば液晶からなるディスプレイ３８に画像を表示させるため駆動回路である。本実施形態の場合、当該ディスプレイコントローラ３７は、後述する画像の加工処理を行うための画像加工部３６も備えている。
【００３２】
カメラモジュール４４は、前記カメラ部８とライト部９を含み、カメラ部８のレンズ系及びそのレンズのフォーカス合わせ等を行うための駆動系と撮像素子、ライト部９の発光ダイオードとそれを駆動するための駆動回路などを備えている。また、当該カメラモジュール４４には、カメラ撮影モードにおいて、シャッターボタン７（４６）が押下操作される前、予め設定されているフレームレートで連続的に撮影した動画像をディスプレイ３８に表示させる動画表示モード用の設定値（本発明の第１の設定値に相当する値）や、シャッターボタン７が押下操作された後、フレームレートを落として撮像素子の有効画素数にて静止画像を撮影する静止画撮影モード用の設定値（本発明の第２の設定値に相当する値）を保持するためのレジスタ４３をも備えている。このレジスタ４３の設定値は、カメラコントローラ４２を介して制御部３１にて書き換えられる。
【００３３】
カメラコントローラ４２は、制御部３１からの要求に応じて、カメラモジュール４４の動作を制御するための構成である。
【００３４】
操作部４５は、第２の筐体２の操作部４に相当し、各種キーやジョグダイヤルと、それらの操作に応じた操作信号を発生するキー操作信号発生部を有している。シャッターボタン４６は、前記第２の筐体２に設けられているシャッターボタン７に相当する。
【００３５】
制御部３１は、上述した通話音声データの符号化や復号化の他、制御ラインを介して当該携帯電話端末の各構成要素の制御等、各種の演算処理を行う。また、本実施形態の制御部３１は、カメラ撮影モードの際に、シャッターボタン４６（７）の押下操作に応じて、レジスタ４３の設定値を動画表示モード用の値から静止画撮影モード用の値へ書き換えるカメラ設定制御と、後述するように、シャッターボタンの押下操作前の画像と押下操作後の画像の間に加工画像を挿入させる制御を行う機能も備えている。
【００３６】
その他、図３には図示を省略しているが、本実施形態の携帯電話端末は、各部に電力を供給する電源回路や、音楽の録音や再生を行うための音楽録音再生部、ブラウザ機能、例えば外部メモリ等の外部記憶装置と端末本体とを接続するためのインターフェイス、外部リモートコントローラの接続端子、近距離で様々な情報を無線により通信（赤外線通信等も含む）するための近距離無線通信部、携帯電話端末の現在位置を検出するための測位デバイスであるＧＰＳ（Global Positioning System）部などを備えている。
【００３７】
〔シャッターボタン押下操作時の画像処理〕
ここで、カメラ撮影モード時における本実施形態のカメラ付き携帯電話端末は、シャッターボタン７（４６）が押下操作される前には動画表示モードとなっており、シャッターボタン７が押下操作されると、動画表示モードから静止画撮影モードへの切り替え設定が行われ、さらに、当該静止画撮影モードで撮影した静止画像からプレビュー画像を生成してディスプレイ３（３８）に表示するようになされている。
【００３８】
特に、本実施形態のカメラ付き携帯電話端末は、シャッターボタン７が押下操作された時にディスプレイ３上に表示されていた画像（本発明の第１の画像に相当する）と、カメラモジュール４４にて撮影されてディスプレイ３上に表示されるプレビュー画像（本発明の第２の画像に相当する）との間に、以下のような加工処理を施した画像（本発明の加工画像に相当する）を挿入することにより、ディスプレイ３上での画像の切り替わりによる違和感を低減すると共に、ディスプレイ３の画面のちらつき感を無くしている。
【００３９】
以下、前述した図７の例と、図４〜図６を参照しながら、本実施形態における画像加工処理と当該画像加工処理後の画像の挿入処理について説明する。
【００４０】
〔画像処理の第１の実施形態〕
先ず、図４を用いて本発明の第１の実施形態を説明する。
【００４１】
本発明の第１の実施形態では、シャッターボタン７が押下操作された時にディスプレイ３上に表示されていた画像Ｇ２と、カメラモジュール４４にて撮影されてディスプレイ３上に表示されるプレビュー画像Ｇ４との間に、上記画像Ｇ２をユーザの記憶から消す機能を有すると共に画像の変化を緩やかにする機能を備えた加工画像Ｇ２ａとＧ４ａを挿入する。
【００４２】
ここで、加工画像Ｇ２ａは、シャッターボタン７が押下操作された時にディスプレイ３上に表示されていた画像Ｇ２が平滑化フィルタにより暈かし処理された画像であり、加工画像Ｇ４ａは、シャッターボタン７が押下操作された後に撮影された静止画像（プレビュー画像Ｇ４に対応する画像）が平滑化フィルタにより暈かし処理された画像である。なお、平滑化フィルタは、画像Ｇ２と画像Ｇ４の高周波成分を除去し、低周波成分のみを抽出する、いわゆるローパスフィルタである。すなわち、加工画像Ｇ２ａは、直前にディスプレイ３上に表示されていた画像Ｇ２を暈かした画像であり、画像Ｇ２と似た性質を持つ画像となっている。同様に、加工画像Ｇ４ａは、シャッターボタン７の押下操作後にプレビュー画像として表示される画像Ｇ４を暈かした画像であり、プレビュー画像Ｇ４と似た性質を持つ画像となっている。
【００４３】
また、当該第１の実施形態の場合、加工画像Ｇ２ａは画像Ｇ２から低周波成分のみを抽出した画像であり、加工画像Ｇ４ａは画像Ｇ４から低周波成分のみを抽出した画像である。すなわち、人間の視覚特性上、画像の低周波成分は、人間がその画像の形状の大まかな特徴を捉えるのに利用されており、加工画像Ｇ２ａ及びＧ４ａには、人間がその画像の詳細な形状を把握する際に利用するエッジ等の高周波成分が無いため、それら低周波成分のみからなる加工画像Ｇ２ａ，Ｇ４ａを画像Ｇ２とプレビュー画像Ｇ４の間に挿入すれば、画像Ｇ２からプレビュー画像Ｇ４への切り替え時の違和感を大幅に軽減することができると共に、ディスプレイ画面のちらつき低減の効果も期待できることになる。
【００４４】
なお、第１の実施形態において、画像Ｇ２とプレビュー画像Ｇ４の間に挿入される加工画像は、加工画像Ｇ２ａのみであっても良いし、また、画像Ｇ２とプレビュー画像Ｇ４の間に二つの加工画像Ｇ２ａ，Ｇ２ａ、若しくは、二つの加工画像Ｇ４ａ，Ｇ４ａを挿入するようにしても良い。
【００４５】
図５には、第１の実施形態の画像加工処理とその加工画像の挿入処理を実行する際の、図３の内部構成における動作の流れを示す。
【００４６】
図５において、カメラ撮影モード時、シャッターボタン４６が押下操作される前、カメラモジュール４４のレジスタ４３の設定値は、動画表示モード用の設定値となっており、当該カメラモジュール４４からは所定のフレームレートの各画像データが出力されている。このとき、制御部３１は、ステップＳ１の処理として、上記カメラモジュール４４から出力された各画像データを、ディスプレイコントローラ３７へ送ることでディスプレイ３８に表示させつつ、画像用メモリ３５に一時記憶させる。また、当該動画表示モードの際、制御部３１は、ステップＳ２の処理として、操作部４５からの信号を見ており、シャッターボタン４６が押下操作されたか否かを監視している。
【００４７】
そして、シャッターボタン４６の押下操作に応じた操作信号が操作部４５から供給されると、制御部３１は、ステップＳ２からステップＳ３の処理へ進み、カメラコントローラ４２を介して、カメラモジュール４４のレジスタ４３の値を静止画撮影モード用の設定値に書き換える。
【００４８】
次に、静止画撮影モード用の設定値への書き換えが完了すると、制御部３１は、ステップＳ４の処理として、カメラコントローラ４２を介してカメラモジュール４４を制御して、静止画像を撮影させると共に、当該撮影により得られた静止画像のデータを画像用メモリ３５に一時記憶させる。制御部３１は、ステップＳ４の処理後はステップＳ５の処理に進む。
【００４９】
ステップＳ５の処理に進むと、制御部３１は、シャッターボタン４６の押下操作直前に画像用メモリ３５に一時記憶した画像データを画像加工部３６に転送させ、次いで、シャッターボタン４６の押下操作時に画像用メモリ３５に一時記憶した静止画像のデータを画像加工部３６に転送させる。画像加工部３６は、平滑化フィルタにより構成されており、したがって、当該画像加工部３６からは、上記平滑化フィルタ処理（ローパスフィルタ処理）が施された二つの画像（Ｇ２ａ、Ｇ４ａ）が得られることになる。
【００５０】
そして、制御部３１は、ステップＳ６にて、ディスプレイコントローラ３７を制御し、上記当該平滑化フィルタ処理後の加工画像Ｇ２ａ、Ｇ４ａをディスプレイ３８に表示させる。
【００５１】
その後、制御部３１は、ステップＳ７の処理として、ディスプレイコントローラ３７を制御し、上記画像用メモリ３５に一時記憶されている静止画像のデータからプレビュー画像Ｇ４を生成させ、次いで、ステップＳ８の処理として、当該プレビュー画像Ｇ４をディスプレイ３８に表示させる。すなわち、この時の制御部３１は、画像Ｇ２とプレビュー画像Ｇ４との間に、加工画像Ｇ２ａ、Ｇ４ａを挿入させている。このステップＳ８の処理の後はステップＳ１へ戻る。
【００５２】
〔画像処理の第２の実施形態〕
次に、図６を用いて本発明の第２の実施形態を説明する。
【００５３】
本発明の第２の実施形態では、平滑化フィルタ処理後の加工画像間を更に補間することで、画像Ｇ２からプレビュー画像Ｇ４への切り替え時の変化を、上述の第１の実施形態の例よりも小さくすると共に、各加工画像に対して例えば黒枠を付加することにより、徐々にシャッターが閉じるような特殊効果を実現可能としている。
【００５４】
すなわちこの第２の実施形態において、加工画像Ｇ２ｃとＧ２ｂは、シャッターボタン７が押下操作された時にディスプレイ３上に表示されていた画像Ｇ２に平滑化フィルタ処理が施された画像であると同時に、それら加工画像Ｇ２ｃとＧ２ｂには黒枠が付加される。また、加工画像Ｇ２ｃとＧ２ｂに付加される黒枠は、加工画像Ｇ２ｂの方が加工画像Ｇ２ｃよりも太い黒枠となされている。同様に、加工画像Ｇ４ｃ，Ｇ４ｂは、シャッターボタン７が押下操作された後に撮影された静止画像Ｇ４に平滑化フィルタ処理が施された画像であると同時に、それら加工画像Ｇ４ｃとＧ４ｂには黒枠が付加される。また、加工画像Ｇ４ｃとＧ４ｂに付加される黒枠は、加工画像Ｇ４ｂの方が加工画像Ｇ４ｃよりも太い黒枠となされている。さらに、当該第２の実施形態の場合、加工画像Ｇ２ｂとＧ４ｂの間には、例えば「保存中」の文字が中央に配された黒画像ＧＢが挿入されている。
【００５５】
この第２の実施形態によれば、加工画像Ｇ２ｃ，Ｇ２ｂ，Ｇ４ｂ，Ｇ４ｃを画像Ｇ２とＧ４の間に挿入することで、第１の実施形態の場合よりも、画像切り替え時の違和感を大幅に軽減することができる。
【００５６】
また、当該第２の実施形態の場合、画像Ｇ２からＧ４への切り替えの際に、ディスプレイ画面上でシャッターが閉じるような特殊効果画像を表示することができるため、画像切り替えの違和感を無くすことのみならず、シャッターを切る感覚をユーザに与えることができるようになる。
【００５７】
なお、第２の実施形態において、画像Ｇ２とＧ４の間に挿入される加工画像は、それぞれ二つの加工画像Ｇ２ｃ，Ｇ２ｂであっても、或いは、それぞれ二つの加工画像Ｇ４ｃ，Ｇ４ｂ画像であっても良い。
【００５８】
次に、当該第２の実施形態の画像加工処理と画像の挿入処理を実行する際の、図３の内部構成における動作の流れを、図５のフローチャートを流用して説明する。
【００５９】
第２の実施形態の場合、ステップＳ５において、制御部３１は、シャッターボタン４６の押下操作直前に画像用メモリ３５に一時記憶した画像データを二回続けて画像加工部３６に転送させ、次いで、シャッターボタン４６の押下操作時に画像用メモリ３５に一時記憶した静止画像のデータを二回続けて画像加工部３６に転送させる。またそれと同時に、制御部３１は、例えばメインメモリ３５上に用意されている黒枠の画像データを、画像加工部３６へ送る。当該第２の実施形態の場合、画像加工部３６は、画像用メモリ３５から読み出された画像データに平滑化フィルタ処理を施すと共に、当該平滑化処理後の画像に上記黒枠の画像データを加算する処理も行う。したがって、当該画像加工部３６からは、図６に示したように、平滑化フィルタ処理が施された画像に黒枠が付けられた加工画像Ｇ２ｃ，Ｇ２ｂ，Ｇ４ｂ，Ｇ４ｃが得られることになる。また、第２の実施形態の場合、メインメモリ３５には黒画像ＧＢのデータも用意されており、制御部３１は、ステップＳ１０の処理の際、加工画像Ｇ２ｂとＧ４ｂの間に当該黒画像ＧＢを挿入させることも行う。
【００６０】
これにより、ディスプレイ３８上には、図６に示したような画像が表示されることになる。
【００６１】
〔まとめ〕
以上説明したように、本発明の各実施形態によれば、シャッターボタン７の押下操作後にカメラモジュール４４のレジスタ４３の設定が変更され、その設定変更後に静止画像が撮影され、当該静止画像からプレビュー画像が生成されるような場合において、シャッターボタン７が押下操作された時にディスプレイ３上に表示されていた画像Ｇ２と、カメラモジュール４４にて撮影されてディスプレイ３上に表示されるプレビュー画像Ｇ４との間に、それら画像Ｇ２或いはＧ４から生成された加工画像を挿入することにより、切り替え時の違和感を低減させ、また、画面のちらつきを無くすことが可能となっている。
【００６２】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。例えば、本発明は、実施形態で用いた折り畳み型の携帯電話端末に限定されず、ＰＤＡやディジタルカメラ等にも適用可能である。
【００６３】
また、本発明において、シャッターボタンが押下操作された後に変更されるカメラモジュールの設定値は、上述したフレームレートや画素数の他に、ストロボ（ライト）の発光／非発光や明るさの設定値、露出の設定値、シャッタースピードの設定値、フォーカス位置の設定値であっても良い。
【図面の簡単な説明】
【００６４】
【図１】本発明実施の形態のカメラ付き携帯電話端末を正面側から観た概略的な外観図である。
【図２】本発明実施の形態のカメラ付き携帯電話端末を背面側から観た概略的な外観図である。
【図３】本発明実施の形態のカメラ付き携帯電話端末内部の主要部の構成例を示すブロック回路図である。
【図４】本発明の第１の実施形態の画像加工処理とその画像加工処理後の画像の挿入処理の説明に用いる図である。
【図５】本発明の第１と第２の実施形態の携帯電話端末において、画像加工処理と加工画像の挿入処理を実行する際の動作の説明に用いるフローチャートである。
【図６】本発明の第２の実施形態の画像加工処理とその画像加工処理後の画像の挿入処理の説明に用いる図である。
【図７】ディジタルカメラ機能を搭載した従来の携帯電話端末において、使用者によりシャッターボタンが押下操作されてから実際の撮影画像がディスプレイ上に表示されるまでの一連の流れの説明に用いる図である。
【図８】ディスプレイ上の表示画像をシャッターボタン押下操作前の画像からプレビュー画像へそのまま切り替える方式の説明に用いる図である。
【図９】ディスプレイ上の表示画像をシャッターボタン押下操作前の画像からプレビュー画像へ切り替える際に黒画像を挿入する方式の説明に用いる図である。
【符号の説明】
【００６５】
１  第１の筐体、２  第２の筐体、３  ディスプレイ、４，４５  操作部、５，４０  スピーカ、６，４１  マイクロホン、７，４６  シャッターボタン、８  カメラ部、９  ライト、３１  制御部、３２  内蔵のアンテナ、３３  通信回路、３４  メインメモリ、３５  画像用メモリ、３６  画像加工部、３７  ディスプレイコントローラ、３８  ディスプレイ、４２  カメラコントローラ、４３  レジスタ、４４  カメラモジュール、Ｇ２  撮影直前の画像、Ｇ４  プレビュー画像、Ｇ２ａ，Ｇ２ｂ，Ｇ２ｃ，Ｇ４ａ，Ｇ４ｂ，Ｇ４ｃ  加工画像
【図１】
2005204210.tif 000003
【図２】
2005204210.tif 000004
【図３】
2005204210.tif 000005
【図４】
2005204210.tif 000006
【図５】
2005204210.tif 000007
【図６】
2005204210.tif 000008
【図７】
2005204210.tif 000009
【図８】
2005204210.tif 000010
【図９】
2005204210.tif 000011